(57)【特許請求の範囲】
【請求項１】
電気通信ネットワークを介して被制御装置と通信可能に接続される管理装置であって、
前記被制御装置を制御する設定パラメータを含んだ伝文を受信すると、当該伝文の複数の設定パラメータに対して各々を装置コマンドに変換して順序付けを行い、各前記装置コマンドを含んだ新たな伝文を作成するコマンド変換手段と、
伝文に含まれる装置コマンドを設定パラメータに変換して、新たな伝文を作成するコマンド逆変換手段と、
伝文に含まれる装置コマンドに対する応答がエラーとなっている場合、当該エラーとなった応答に対応するエラーコードを付与し、新たな伝文を作成するエラーコード変換手段と、
前記エラーコード変換手段から受信した伝文のエラーコードをエラーメッセージに変換し、新たな伝文を作成するエラーメッセージ変換手段と、
前記コマンド変換手段から伝文を受信すると、制御順序に従って当該伝文に含まれる各装置コマンドを各前記被制御装置に対して投入し、当該装置コマンドに対する応答を受信する操作を繰り返し、各前記装置コマンドと当該装置コマンドに対する応答との対を記述した新たな伝文を作成し、各前記装置コマンドの投入に対する応答にエラーが含まれる場合には当該伝文をエラーコード変換手段に出力し、各前記装置コマンドに対する応答にエラーが含まれない場合には、前記伝文をコマンド逆変換手段に出力する実行制御手段と、
を含んで構成されることを特徴とする管理装置。
【請求項２】
前記エラーコード変換手段が前記実行制御手段から受信した伝文には、前記被制御装置を制御するオペレータの識別子が含まれており、当該エラーコード変換手段は、前記オペレータの識別子に基づいてエラーコード定義ファイル蓄積手段を参照することにより、前記オペレータ毎の情報からエラーとなった装置コマンドに対応するエラーコードを付与して新たな伝文を作成してエラーメッセージ変換手段に通知する、
ことを特徴とする請求項１に記載の管理装置。
【請求項３】
電気通信ネットワークを介して被制御装置と通信可能に接続される管理システムであって、
前記被制御装置を制御する設定パラメータを含んだ伝文を受信すると、当該伝文の複数の設定パラメータに対して各々を装置コマンドに変換して順序付けを行い、各前記装置コマンドを含んだ新たな伝文を作成するコマンド変換手段と、
伝文に含まれる装置コマンドを設定パラメータに変換して、新たな伝文を作成するコマンド逆変換手段と、
伝文に含まれる装置コマンドに対する応答がエラーとなっている場合、当該エラーとなった応答に対応するエラーコードを付与し、新たな伝文を作成するエラーコード変換手段と、
前記エラーコード変換手段から受信した伝文のエラーコードをエラーメッセージに変換し、新たな伝文を作成するエラーメッセージ変換手段と、
前記コマンド変換手段から伝文を受信すると、制御順序に従って当該伝文に含まれる各装置コマンドを各前記被制御装置に対して投入し、当該装置コマンドに対する応答を受信する操作を繰り返し、各前記装置コマンドと当該装置コマンドに対する応答との対を記述した新たな伝文を作成し、各前記装置コマンドの投入に対する応答にエラーが含まれる場合には当該伝文をエラーコード変換手段に出力し、各前記装置コマンドに対する応答にエラーが含まれない場合には、前記伝文をコマンド逆変換手段に出力する実行制御手段と、
を含んで構成されることを特徴とする管理システム。
【請求項４】
被制御装置を制御する設定パラメータを含んだ伝文を受信すると、当該伝文の複数の設定パラメータに対して各々を装置コマンドに変換して順序付けを行い、各前記装置コマンドを含んだ新たな伝文を作成するコマンド変換手段、
伝文に含まれる装置コマンドを設定パラメータに変換して、新たな伝文を作成するコマンド逆変換手段、
伝文に含まれる装置コマンドに対する応答がエラーとなっている場合、当該エラーとなった応答に対応するエラーコードを付与し、新たな伝文を作成するエラーコード変換手段、
前記エラーコード変換手段から受信した伝文のエラーコードをエラーメッセージに変換し、新たな伝文を作成するエラーメッセージ変換手段、
前記コマンド変換手段から伝文を受信すると、制御順序に従って当該伝文に含まれる各装置コマンドを各被制御装置に対して投入し、当該装置コマンドに対する応答を受信する操作を繰り返し、各前記装置コマンドと当該装置コマンドに対する応答との対を記述した新たな伝文を作成し、各前記装置コマンドの投入に対する応答にエラーが含まれる場合には当該伝文をエラーコード変換手段に出力し、各前記装置コマンドに対する応答にエラーが含まれない場合には、前記伝文をコマンド逆変換手段に出力する実行制御手段、
を管理装置であるコンピュータに実現させるための管理プログラム。
【発明の詳細な説明】
【技術分野】
【０００１】
本発明は、電気通信ネットワークにおいて、伝送装置などの被制御装置を管理する管理装置、管理システムおよび管理プログラムに関する。
【背景技術】
【０００２】
複数の装置（被制御装置）と管理装置を配備する電気通信ネットワークにおいて、管理装置は各装置と接続してこれらを管理する。管理装置は様々なベンダの装置と接続してこれらを管理し、各ベンダの仕様の違いを隠蔽してオペレータの負担を軽減する。このような管理装置は、EMS（Element Management System）と呼ばれている。
【０００３】
装置に対して各種の設定、実行を行う場合、オペレータは管理装置を介してこれを行う。すなわち、オペレータは、管理装置の表示部などに表示された設定画面を介して複数の設定パラメータを投入し、複数の処理を管理装置に依頼する。管理装置は、これらの設定パラメータを装置コマンドに変換し、一または複数の装置に対してこの装置コマンド群を所定の順序に従って投入する。装置は管理装置から投入された装置コマンド毎に、設定可否の結果を応答する。管理装置は、設定可否の結果を設定画面に出力することによりオペレータにパラメータの投入結果を提示する。
【０００４】
このとき、オペレータは設定画面により複数の設定パラメータを投入するが、これらの複数の設定パラメータに対しての設定可否の結果が通知されるだけであり、個々の設定パラメータに対して、どの設定パラメータがエラーであったかを知ることができない問題点がある。従って、エラーの通知があった場合、すべてが正常となるまで、複数の設定パラメータのいずれかを変更して何度も設定を試し、正しい設定を見極めてから設定を行うなど、設定が正常に完了するまでに多くの試行錯誤を要すると共に、時間が掛かりがちであった。
【０００５】
これに対し、特許文献１では、エラーコードとエラーメッセージを対応する仕組みを提案している。特許文献１の課題には、「１つのシステムで複数の金融機関のＡＴＭを管理する場合に、端末側装置に発生したエラーについて、同一エラーコード対して金融機関ごとに異なるエラーメッセージが設定されている場合であっても、金融機関ごとに的確なエラーメッセージを表示できるシステムを提供する。」と記載され、解決手段には、「ＡＴＭ１０８にエラーが発生した時に、エラーコードとＡＴＭ１０８の装置番号とを監視サーバ１１０に送る。監視サーバ１１０のＣＰＵは装置番号をキーとして検索情報定義テーブルを検索し、複数あるエラー情報テーブルを検索する順番を取得する。ＣＰＵは当該検索順番に従ってエラーコードをキーとしてエラー情報テーブルを順に検索し、エラーコードに対応するエラーメッセージを取得する。」と記載されている。
特許文献１に記載の技術により、装置側からのエラーコードに対応して、エラー内容を表すエラーメッセージをオペレータに通知することが可能になる。これによりオペレータはエラーメッセージからエラー内容を理解することができ、複数の設定パラメータのうち、どれがエラーであったかを推測することが可能となる。
【先行技術文献】
【特許文献】
【０００６】
【特許文献１】特開２００７−２１３１１６号公報
【発明の概要】
【発明が解決しようとする課題】
【０００７】
しかしながら、装置のエラー内容がオペレータにとって難解であるケースや、ひとつの設定パラメータのエラーに対するメッセージが複数の設定パラメータに対するエラーと誤解されやすいケース、複数の設定パラメータにエラーがあってもひとつの設定パラメータのエラーと誤解されやすいケースなど、様々なケースが考えられる。そのため、管理装置からエラー内容の通知があっても、どの設定パラメータがエラーであったかの特定が必ずしも容易であるとは云えないという問題点があった。
【０００８】
更に、エラーコードに対するエラーメッセージを予め決めておくことで、これらの問題点を低減することが考えられる。しかし、エラーメッセージを適切に決定するには、豊富な経験や十分な検討が必要となり困難である。また、エラーメッセージはオペレータ個々の経験を踏まえた適切な通知が望ましい。
【０００９】
本発明は、前記した問題を解決し、どの設定パラメータがエラーであったのかをオペレータに好適に通知する管理装置、管理システムおよび管理プログラムを提供することを課題とする。
【課題を解決するための手段】
【００１０】
前記課題を解決するため、請求項１に記載の発明では、電気通信ネットワークを介して被制御装置と通信可能に接続される管理装置であって、前記被制御装置を制御する設定パラメータを含んだ伝文を受信すると、当該伝文の複数の設定パラメータに対して各々を装置コマンドに変換して順序付けを行い、各前記装置コマンドを含んだ新たな伝文を作成するコマンド変換手段と、伝文に含まれる装置コマンドを設定パラメータに変換して、新たな伝文を作成するコマンド逆変換手段と、伝文に含まれる装置コマンドに対する応答がエラーとなっている場合、当該エラーとなった応答に対応するエラーコードを付与し、新たな伝文を作成するエラーコード変換手段と、前記エラーコード変換手段から受信した伝文のエラーコードをエラーメッセージに変換し、新たな伝文を作成するエラーメッセージ変換手段と、前記コマンド変換手段から伝文を受信すると、制御順序に従って当該伝文に含まれる各装置コマンドを各前記被制御装置に対して投入し、当該装置コマンドに対する応答を受信する操作を繰り返し、各前記装置コマンドと当該装置コマンドに対する応答との対を記述した新たな伝文を作成し、各前記装置コマンドの投入に対する応答にエラーが含まれる場合には当該伝文をエラーコード変換手段に出力し、各前記装置コマンドに対する応答にエラーが含まれない場合には、前記伝文をコマンド逆変換手段に出力する実行制御手段と、を含んで構成されることを特徴とする管理装置とした。
【００１１】
このようにすることで、どの設定パラメータがエラーであったのかをエラーメッセージでオペレータに好適に通知することができる。更に、装置コマンドを設定パラメータに変換し、好適にオペレータに通知することができる。
【００１６】
請求項２に記載の発明では、前記エラーコード変換手段が前記実行制御手段から受信した伝文には、前記被制御装置を制御するオペレータの識別子が含まれており、当該エラーコード変換手段は、前記オペレータの識別子に基づいてエラーコード定義ファイル蓄積手段を参照することにより、前記オペレータ毎の情報からエラーとなった装置コマンドに対応するエラーコードを付与して新たな伝文を作成してエラーメッセージ変換手段に通知する、ことを特徴とする請求項１に記載の管理装置とした。
【００１７】
このようにすることで、オペレータの習熟度に併せたエラーメッセージをオペレータに通知することができる。
【００１８】
請求項３に記載の発明では、電気通信ネットワークを介して被制御装置と通信可能に接続される管理システムであって、前記被制御装置を制御する設定パラメータを含んだ伝文を受信すると、当該伝文の複数の設定パラメータに対して各々を装置コマンドに変換して順序付けを行い、各前記装置コマンドを含んだ新たな伝文を作成するコマンド変換手段と、伝文に含まれる装置コマンドを設定パラメータに変換して、新たな伝文を作成するコマンド逆変換手段と、伝文に含まれる装置コマンドに対する応答がエラーとなっている場合、当該エラーとなった応答に対応するエラーコードを付与し、新たな伝文を作成するエラーコード変換手段と、前記エラーコード変換手段から受信した伝文のエラーコードをエラーメッセージに変換し、新たな伝文を作成するエラーメッセージ変換手段と、前記コマンド変換手段から伝文を受信すると、制御順序に従って当該伝文に含まれる各装置コマンドを各前記被制御装置に対して投入し、当該装置コマンドに対する応答を受信する操作を繰り返し、各前記装置コマンドと当該装置コマンドに対する応答との対を記述した新たな伝文を作成し、各前記装置コマンドの投入に対する応答にエラーが含まれる場合には当該伝文をエラーコード変換手段に出力し、各前記装置コマンドに対する応答にエラーが含まれない場合には、前記伝文をコマンド逆変換手段に出力する実行制御手段と、を含んで構成されることを特徴とする管理システムとした。
【００１９】
このようにすることで、エラーコードを介さずに直接にエラーメッセージを生成することができると共に、どの設定パラメータがエラーであったのかをエラーメッセージでオペレータに好適に通知することができる。更に、装置コマンドを設定パラメータに変換し、好適にオペレータに通知することができる。
【００２２】
請求項４に記載の発明では、被制御装置を制御する設定パラメータを含んだ伝文を受信すると、当該伝文の複数の設定パラメータに対して各々を装置コマンドに変換して順序付けを行い、各前記装置コマンドを含んだ新たな伝文を作成するコマンド変換手段、伝文に含まれる装置コマンドを設定パラメータに変換して、新たな伝文を作成するコマンド逆変換手段、伝文に含まれる装置コマンドに対する応答がエラーとなっている場合、当該エラーとなった応答に対応するエラーコードを付与し、新たな伝文を作成するエラーコード変換手段、前記エラーコード変換手段から受信した伝文のエラーコードをエラーメッセージに変換し、新たな伝文を作成するエラーメッセージ変換手段、前記コマンド変換手段から伝文を受信すると、制御順序に従って当該伝文に含まれる各装置コマンドを各被制御装置に対して投入し、当該装置コマンドに対する応答を受信する操作を繰り返し、各前記装置コマンドと当該装置コマンドに対する応答との対を記述した新たな伝文を作成し、各前記装置コマンドの投入に対する応答にエラーが含まれる場合には当該伝文をエラーコード変換手段に出力し、各前記装置コマンドに対する応答にエラーが含まれない場合には、前記伝文をコマンド逆変換手段に出力する実行制御手段、を管理装置であるコンピュータに実現させるための管理プログラムとした。
【００２３】
このようにすることで、どの設定パラメータがエラーであったのかをエラーメッセージでオペレータに好適に通知することができる。更に、装置コマンドを設定パラメータに変換し、好適にオペレータに通知することができる。
【発明の効果】
【００２４】
本発明に係る管理装置、管理システムおよび管理プログラムによれば、どの設定パラメータがエラーであったのかをオペレータに好適に通知することが可能となる。
【図面の簡単な説明】
【００２５】
【図１】本実施形態における制御システムの構成と動作を示す図である。
【図２】本実施形態における管理装置の内部構成を示す図である。
【図３】エラーコード定義ファイルの構成図である。
【図４】エラーメッセージ定義ファイルの構成図である。
【図５】管理装置による管理処理のフローチャートである。
【図６】正常時の設定処理を示す図である。
【図７】正常時の設定シーケンスを示す図である。
【図８】エラー発生時の設定処理を示す図である。
【図９】エラー発生時の設定シーケンスを示す図である。
【発明を実施するための形態】
【００２６】
次に、本発明を実施するための形態（「実施形態」という）について、適宜図面を参照しながら詳細に説明する。
図１は、本実施形態における制御システム４の構成と動作を示す図である。
制御システム４は、ＨＭＩ（Human Machine Interface）１と、管理装置２と、伝送装置などである被制御装置３−１，３−２を含んで構成される。制御システム４は、これら被制御装置３−１，３−２を管理するためのものである。以下、各被制御装置３−１，３−２を特に区別しないときには、単に被制御装置３と記載する。
ＨＭＩ（１）は、管理装置２に接続されており、オペレータの指示を送信してその結果を表示する端末である。管理装置２は、被制御装置３−１，３−２に接続されており、ＨＭＩ（１）から送信された伝文ｍ１を被制御装置３−１，３−２に併せて変換して振り分ける。管理装置２は更に、被制御装置３−１，３−２から受信した伝文ｍ４ａ〜ｍ４ｃをエラーメッセージに変換してＨＭＩ（１）に送信する。なお、ＨＭＩ（１）は、本発明の必須の構成要件ではなく、管理装置２の不図示の表示部に設定画面を表示するようにしてもよく、限定されない。
【００２７】
先ず、オペレータは、複数の設定パラメータをＨＭＩ（１）の設定画面を介して投入する。例えばオペレータは、第１パラメータとして“A”を被制御装置３−１へ設定し、続いて同じ被制御装置３−１に第２パラメータとして“Y”を設定し、更に別の被制御装置３−２に第３パラメータとして“ON”を設定する。図１では、ＨＭＩ（１）からこれらの設定パラメータがひとまとめに投入され、管理装置２へ伝文ｍ１が通知されることを示している。なお、どの設定パラメータがどの被制御装置３に設定されるかの対応については、各設定パラメータに被制御装置３の識別子を付与しておくことなどで実現できるが、本発明の主旨とは関係しないため、以降も含めて装置の識別に関しては言及しない。
【００２８】
管理装置２は、伝文ｍ１を装置コマンドに変換し、あるべき設定順序のとおりに装置コマンドの設定を行う。管理装置２は先ず、伝文ｍ３ａである装置コマンド“Set parameter1 A”を被制御装置３−１に設定し、この被制御装置３−１から伝文ｍ４ａである“OK”の応答を受信する。なお、各図面では、“parameter”を“param”と省略記載している。
次に管理装置２は、伝文ｍ３ｂである“Set parameter2 Y”の装置コマンドを被制御装置３−１に設定し、この被制御装置３−１から伝文ｍ４ｂである“NG”の応答を受信する。更に管理装置２は、被制御装置３−２に対して伝文ｍ３ｃとして装置コマンド“Set parameter3 ON”を設定し、この被制御装置３−２から伝文ｍ４ｃである“OK”の応答を受信する。
【００２９】
管理装置２は、これらの装置コマンドと応答結果とをまとめ、エラーとなった装置コマンドに対しては、装置コマンド毎にエラー時のエラーコードを対応させ、このエラーコードに対応したエラーメッセージに変換する。最後に管理装置２は、装置コマンドをオペレータ向けの設定パラメータに変換し、ＨＭＩ（１）を介してオペレータに対して変換後の伝文ｍ９を通知する。
以上の方法により、どの設定パラメータがエラーであったかをエラーメッセージとともに通知することが可能となる。
【００３０】
図２は、本実施形態における管理装置２の内部構成を示す図である。
管理装置２は複数の伝送装置などの被制御装置３と接続し、これらを管理する。管理装置２は、ＨＭＩ（１）と接続し、これを介してオペレータは管理装置２にアクセスし、設定パラメータの投入、メッセージの受信などにより複数の装置を管理する。なお、オペレータは、ＨＭＩ（１）に限られず、管理装置２自身が表示する設定画面を介して設定パラメータの投入、メッセージの受信などを行ってもよい。
【００３１】
管理装置２は、入力部２１、コマンド変換部２２、実行制御部２３、エラーコード変換部２４、エラーコード定義ファイル２５、エラーメッセージ変換部２６、エラーメッセージ定義ファイル２７、コマンド逆変換部２８、出力部２９を備える。
入力部２１と出力部２９は、例えばネットワークインタフェースコントローラである。入力部２１はＨＭＩ（１）が入力した伝文ｍ１（図１参照）を受信し、出力部２９はＨＭＩ（１）へ伝文ｍ９（図１参照）を出力する。
コマンド変換部２２は、入力された設定を装置コマンドに変換する。コマンド逆変換部２８は、装置コマンドを設定に変換する。
【００３２】
実行制御部２３は、装置コマンドを各被制御装置３に出力して実行させ、これら実行結果の応答を受信し、エラーの有無によってエラーコード変換部２４とコマンド逆変換部２８のいずれかに切り替えて出力する。
エラーコード変換部２４は、エラーコード定義ファイル２５を参照して、装置コマンド実行に伴うエラーをエラーコードに変換する。エラーメッセージ変換部２６は、エラーメッセージ定義ファイル２７を参照して、装置コマンド実行に伴うエラーコードをエラーメッセージに変換する。これにより、オペレータは、装置コマンドの実行に伴うエラーを好適に把握することができる。
【００３３】
図３は、エラーコード定義ファイル２５の構成図である。
エラーコード定義ファイル２５は、オペレータＩＤ欄２５ａ、コマンド欄２５ｂ、エラーコード欄２５ｃを含み、装置コマンドとエラーコードとの対応関係を表す情報を蓄積している。
オペレータＩＤ欄２５ａは、ＨＭＩ（１）を介して管理装置２にコマンドを投入しているオペレータの識別子を格納する欄である。コマンド欄２５ｂは、装置コマンドを格納する欄である。エラーコード欄２５ｃは、この装置コマンドに対応するエラーコードを格納する欄である。
【００３４】
図３に示す例では、オペレータＩＤ“10001”において、装置コマンド“Set parameter1”に対するエラーコードを“101”とし、装置コマンド“Set parameter2”に対するエラーコードを“102”とし、装置コマンド“Set parameter3”に対するエラーコードを“103”としている。更に図３の例では、オペレータＩＤ“10002”において、装置コマンド“Set parameter1”に対するエラーコードを“201”とし、装置コマンド“Set parameter2”に対するエラーコードを“202”とし、装置コマンド“Set parameter3”に対するエラーコードを“203”としている。
【００３５】
図４は、エラーメッセージ定義ファイル２７の構成図である。
エラーメッセージ定義ファイル２７は、エラーコード欄２７ａ、エラーメッセージ欄２７ｂを含み、エラーコードとエラーメッセージとの対応関係を表す情報を蓄積する。
エラーコード欄２７ａは、装置コマンド実行に伴うエラーに係るエラーコードを格納する欄である。エラーメッセージ欄２７ｂは、装置コマンド実行に伴うエラーに係るエラーメッセージを格納する欄である。
【００３６】
図４では、エラーコード“101”に対するエラーメッセージ“パッケージ種別不正”、エラーコード“102”に対するエラーメッセージ“パッケージver不正”、エラーコード“103”に対するエラーメッセージ“光出力制御不正”が設定されている。エラーコード“201”から“203”に対するエラーメッセージは、エラーコード“101”から“103”と比較して詳細かつ具体的である。これにより、本実施形態の管理装置２は、習熟度の低いオペレータに対して好適なエラーメッセージを表示可能である。
【００３７】
図３と図４で示すように、管理装置２は、装置コマンドと付与すべきエラーコードの対応を表す対応表と、エラーコードとエラーメッセージの対応を表す対応表とを格納している。これにより、容易にこれら対応表を変更、修正することが可能となる。また、オペレータごとに異なるエラーメッセージを持たせることで、オペレータのノウハウや経験に応じたエラーメッセージを通知することが可能となる。
【００３８】
図５は、管理装置２による管理処理のフローチャートである。
ＨＭＩ（１）がオペレータに対して設定画面（不図示）を表示し、オペレータは、一または複数の被制御装置３に対する複数の設定パラメータを設定画面に投入する。これにより、ＨＭＩ（１）は複数のパラメータを記述した伝文ｍ１（図１参照）を作成し、この伝文ｍ１を管理装置２の入力部２１に通知する。入力部２１がコマンド変換部２２へ伝文ｍ１を通知すると、図５のフローチャートが開始する。
【００３９】
コマンド変換部２２は、入力部２１から伝文ｍ１を受信し、この伝文ｍ１の複数の設定パラメータを、それぞれ装置コマンドに変換し（ステップＳ１０）、所定の順序付けを行って伝文ｍ２（後記する図６参照）を作成する（ステップＳ１１）。
【００４０】
実行制御部２３は、コマンド変換部２２から伝文ｍ２を受信し、コマンド変換部２２が設定した制御の順序に従って、個々の設定コマンドに対する伝文ｍ２の複数の装置コマンド毎に、各被制御装置３へ装置コマンドの設定と、その応答の受信とを繰り返す（ステップＳ１２〜Ｓ１５）。
つまり実行制御部２３は、各装置コマンドを被制御装置３へ投入し（ステップＳ１３）、この被制御装置３から応答を受信し（ステップＳ１４）、これを伝文ｍ２の装置コマンドに対して繰り返す（ステップＳ１５）。
実行制御部２３は、全ての装置コマンドに対する応答の結果が正常、つまり“OK”であるかを判断し、正常であったならば、装置コマンドを設定バラメータに変換して（ステップＳ１９）、ＨＭＩ（１）に通知する。これにより、オペレータは設定が正常終了したことを容易に判断可能となる。
【００４１】
更に実行制御部２３は、装置コマンドに対する応答の結果に正常でないものが含まれるならば、エラーとなった装置コマンドにエラーコードを付与し（ステップＳ１７）、このエラーコードをエラーメッセージに変換したのち（ステップＳ１８）、装置コマンドを設定バラメータに変換して（ステップＳ１９）、ＨＭＩ（１）に通知する。これにより、オペレータはどの設定パラメータがエラーであったかを容易に判断することが可能となる。
【００４２】
次に図６、図７により、正常時の設定処理について説明する。
図６は、正常時の設定処理を示す図である。
ＨＭＩ（１）は、オペレータに対して設定画面（不図示）を表示する。この設定画面によりオペレータは、一または複数の被制御装置３に対する複数の設定パラメータを投入する。これにより、ＨＭＩ（１）は複数のパラメータを記述した伝文ｍ１を作成し、この伝文ｍ１を管理装置２の入力部２１に通知する。
図６では、被制御装置３−１に対して“設定１ A”により設定１としてパラメータ“A”を設定し、続いて被制御装置３−１に対して“設定２ Y”により設定２としてパラメータ“Y”を設定し、別の被制御装置３−２に対して“設定３ ON”により設定３としてパラメータ“ON”を設定するケースを示している。
【００４３】
ＨＭＩ（１）は、管理装置２の入力部２１へ設定内容として伝文ｍ１を通知する。更にＨＭＩ（１）は、設定パラメータの応答結果として、オペレータ毎にカスタマイズしたエラーメッセージを表示するため、伝文ｍ１にオペレータの識別子を付与する。またＨＭＩ（１）は、管理装置２の出力部２９からの伝文ｍ９ａを受信して、伝文ｍ９ａの内容を画面表示などによりオペレータに通知する。
入力部２１は、管理装置２に具備されるＨＭＩ（１）との入力インタフェースであり、ＨＭＩ（１）からの伝文ｍ１を入力して、この伝文ｍ１をコマンド変換部２２に通知する。
【００４４】
コマンド変換部２２は、入力部２１から伝文ｍ１を受信し、この伝文ｍ１の複数の設定パラメータを、それぞれ装置コマンドに変換して所定の順序付けを行って伝文ｍ２を作成し、この伝文ｍ２を実行制御部２３に通知する。図６では、伝文ｍ１を装置コマンドに変換して伝文ｍ２を作成するケースとして、伝文ｍ１の“設定１ A”を装置コマンド“Set parameter1 A”に変換し、“設定２ Y”を装置コマンド“Set parameter2 Y”に変換し、“設定３ ON”を装置コマンド“Set parameter3 ON”に変換するケースを示している。更に、コマンド変換部２２は、オペレータ毎にカスタマイズしたエラーメッセージを表示するため、伝文ｍ１から引き継いだオペレータの識別子を伝文ｍ２に付与する。
【００４５】
実行制御部２３は、コマンド変換部２２から伝文ｍ２を受信し、コマンド変換部２２が設定した制御の順序に従って、伝文ｍ２の複数の装置コマンドに対して個々の設定コマンド毎に、各被制御装置３へ装置コマンドの設定と、その応答の受信とを繰り返す。図６では、装置コマンド“Set parameter1 A”の伝文ｍ３ａに対して被制御装置３−１から“OK”の伝文ｍ４ａが応答され、“Set parameter2 Y”の伝文ｍ３ｂに対して被制御装置３−１から“OK”の伝文ｍ４ｂが応答され、“Set parameter3 ON”の伝文ｍ３ｃに対して被制御装置３−２から“OK”の伝文ｍ４ｃが応答されるケースを示している。実行制御部２３は、これらの処理を順次行うことにより、各装置コマンドに対する応答結果を受信する。
実行制御部２３は、全ての装置コマンドに対する応答の結果が“OK”の場合は、全ての装置コマンドとこれに対する“OK”の応答を纏めた伝文ｍ５を作成し、この伝文ｍ５をコマンド逆変換部２８に通知する。
【００４６】
コマンド逆変換部２８は、実行制御部２３からの伝文ｍ５を受信し、装置コマンドを設定パラメータに変換した伝文ｍ９ａを作成し、この伝文ｍ９ａを出力部２９に通知する。出力部２９は管理装置２のＨＭＩ（１）に対する出力インタフェースとして伝文ｍ９ａをＨＭＩ（１）に通知する。ＨＭＩ（１）は伝文ｍ９ａから正常終了した旨をオペレータに通知する。これにより、オペレータは設定が正常終了したことを容易に判断可能となる。
【００４７】
図７は、正常時の設定シーケンスを示す図である。なお、図７では、「エラーコード変換部２４」を「ＥＣ変換部２４」、「エラーコード定義ファイル２５」を「ＥＣ定義２５」と省略記載している。更に図７では、「エラーメッセージ変換部２６」を「ＥＭ変換部２６」、「エラーメッセージ定義ファイル２７」を「ＥＭ定義２７」と省略記載している。
【００４８】
最初にオペレータは、ＨＭＩ（１）の設定画面（不図示）により複数の設定パラメータを投入する。ＨＭＩ（１）は、これらの複数のパラメータを記述した伝文ｍ１を作成し、この伝文ｍ１を管理装置２の入力部２１に通知する（シーケンスＱ１）。
図７では、“設定１ A”により設定１としてパラメータ“A”を設定し、“設定２ Y”により設定２としてパラメータ“Y”を設定し、“設定３ ON”により設定３としてパラメータ“ON”を設定するケースを示している。この伝文ｍ１には更に、オペレータの識別子が付与されている。
次に、入力部２１は、ＨＭＩ（１）から入力された伝文ｍ１を、コマンド変換部２２に通知する（シーケンスＱ２）。
【００４９】
コマンド変換部２２は、入力部２１から伝文ｍ１を受信すると、この伝文ｍ１の複数の設定パラメータをそれぞれ装置コマンドに変換し、これらに対してあるべき順序付けを行った伝文ｍ２を作成し、この伝文ｍ２を実行制御部２３に通知する（シーケンスＱ３）。
図７では、伝文ｍ１を装置コマンドに変換して伝文ｍ２を作成するケースとして、伝文ｍ１の“設定１ A”を装置コマンド“Set parameter1 A”に変換し、“設定２ Y”を装置コマンド“Set parameter2 Y”に変換し、“設定３ ON”を装置コマンド“Set parameter3 ON”へ変換するケースを示している。伝文ｍ２には更に、オペレータ毎にカスタマイズしたエラーメッセージを表示するため、伝文ｍ１から引き継いだオペレータの識別子が付与されている。
【００５０】
実行制御部２３は、コマンド変換部２２から伝文ｍ２を受信すると、この伝文ｍ２の制御の順序に従って、各被制御装置３へ装置コマンドの設定と、その応答の受信とを繰り返す（シーケンスＱ４〜Ｑ９）。
図７では、実行制御部２３は、伝文ｍ３ａである装置コマンド“Set parameter1 A”を被制御装置３−１に設定し（シーケンスＱ４）、この被制御装置３−１から伝文ｍ４ａである“OK”の応答を受信する（シーケンスＱ５）。
次に実行制御部２３は、伝文ｍ３ｂである装置コマンド“Set parameter2 Y”を被制御装置３−１に設定し（シーケンスＱ６）、この被制御装置３−１から伝文ｍ４ｂである“OK”の応答を受信する（シーケンスＱ７）。
更に実行制御部２３は、伝文ｍ３ｃである装置コマンド“Set parameter3 ON”を被制御装置３−２に設定し（シーケンスＱ８）、この被制御装置３−２から伝文ｍ４ｃである“OK”の応答を受信する（シーケンスＱ９）。実行制御部２３は、これらの処理を順次行うことにより、各装置コマンドに対する応答結果を受信する。全ての装置コマンドに対する応答の結果が“OK”なので、全ての装置コマンドとこれに対する“OK”の応答を纏めた伝文ｍ５を作成し、この伝文ｍ５をコマンド逆変換部２８に通知する（シーケンスＱ１０）。
【００５１】
コマンド逆変換部２８は、実行制御部２３からの伝文ｍ５を受信すると、これら装置コマンドを設定パラメータに変換した伝文ｍ９ａを作成し、この伝文ｍ９ａを出力部２９に通知する（シーケンスＱ１１）。
図７では、実行制御部２３からの伝文ｍ５を受信したケースについて装置コマンド“Set parameter1 A”を設定パラメータ“設定１ A”に変換し、“Set parameter2 Y”を“設定２ Y”に変換し、“Set parameter3 ON”を“設定３ ON”に変換するケースを示している。“設定１ A”と“設定２ Y”と“設定３ ON”については、設定が正常であったための“OK”の表示をそのまま残した伝文ｍ９ａを作成し、この伝文ｍ９ａを出力部２９に通知する。
【００５２】
次に、出力部２９は、コマンド逆変換部２８からの伝文ｍ９ａを受信すると、この伝文ｍ９をＨＭＩ（１）に通知する（シーケンスＱ１２）。ＨＭＩ（１）は、伝文ｍ９ａから設定が全て正常終了した旨をオペレータに通知する。これにより、オペレータは設定が正常終了したことを容易に判断可能となる。
【００５３】
次に図８、図９により、エラー発生時について説明する。
図８は、エラー発生時の設定処理を示す図である。
ＨＭＩ（１）は、オペレータに対して設定画面（不図示）を表示する。この設定画面によりオペレータは、一または複数の被制御装置３に対する複数の設定パラメータを投入する。これにより、ＨＭＩ（１）は複数のパラメータを記述した伝文ｍ１を作成し、この伝文ｍ１を管理装置２の入力部２１に通知する。
図８では、被制御装置３−１に対して“設定１ A”により設定１としてパラメータ“A”を設定し、続いて同じ被制御装置３−１に対して“設定２ Y”により設定２としてパラメータ“Y”を設定し、別の被制御装置３−２に対して“設定３ ON”により設定３としてパラメータ“ON”を設定するケースを示している。
【００５４】
ＨＭＩ（１）は、管理装置２の入力部２１へ設定内容として伝文ｍ１を通知する。更にＨＭＩ（１）は、設定パラメータの応答結果として、オペレータ毎にカスタマイズしたエラーメッセージを表示するため、伝文ｍ１にオペレータの識別子を付与する。またＨＭＩ（１）は、管理装置２の出力部２９からの伝文ｍ９を受信して、伝文ｍ９の内容を画面表示などによりオペレータに通知する。
入力部２１は、管理装置２に具備されるＨＭＩ（１）との入力インタフェースであり、ＨＭＩ（１）からの伝文ｍ１を入力し、この伝文ｍ１をコマンド変換部２２に通知する。
【００５５】
コマンド変換部２２は、入力部２１から伝文ｍ１を受信し、この伝文ｍ１の複数の設定パラメータを、それぞれ装置コマンドに変換して所定の順序付けを行って伝文ｍ２を作成し、この伝文ｍ２を実行制御部２３に通知する。図８では、伝文ｍ１を装置コマンドに変換して伝文ｍ２を作成するケースとして、伝文ｍ１の“設定１ A”を装置コマンド“Set parameter1 A”に変換し、“設定２ Y”を装置コマンド“Set parameter2 Y”に変換し、“設定３ ON”を装置コマンド“Set parameter3 ON”に変換するケースを示している。更にコマンド変換部２２は、オペレータ毎にカスタマイズしたエラーメッセージを表示するため、伝文ｍ１から引き継いだオペレータの識別子を伝文ｍ２に付与する。
【００５６】
実行制御部２３は、コマンド変換部２２から伝文ｍ２を受信し、コマンド変換部２２が設定した制御の順序に従って、伝文ｍ２の複数の装置コマンドに対して個々の設定コマンド毎に、各被制御装置３へ装置コマンドの設定と、その応答の受信とを繰り返す。図８では、装置コマンド“Set parameter1 A”の伝文ｍ３ａに対して被制御装置３−１から“OK”の伝文ｍ４ａが応答され、“Set parameter2 Y”の伝文ｍ３ｂに対して被制御装置３−１から“NG”の伝文ｍ４Ｂが応答され、“Set parameter3 ON”の伝文ｍ３ｃに対して被制御装置３−２から“OK”の伝文ｍ４ｃが応答されるケースを示している。実行制御部２３は、これらの処理を順次行うことにより、各装置コマンドに対する応答結果を受信する。
実行制御部２３は、装置コマンドに対する応答に“NG”が含まれるので、全ての装置コマンドとこれに対する応答を纏めた伝文ｍ６を作成し、この伝文ｍ６をエラーコード変換部２４に通知する。更に実行制御部２３は、オペレータ毎にカスタマイズしたエラーメッセージを表示するため、伝文ｍ２から引き継いだオペレータの識別子を伝文ｍ６に付与する。
【００５７】
エラーコード定義ファイル２５は、図３に示すとおり装置コマンドとエラーコードの対応関係を表す情報を蓄積する。エラーコード変換部２４は、エラーコード定義ファイル２５を参照して、装置コマンドに対するエラーコードを取得する。更にエラーコード定義ファイル２５は、オペレータ毎にカスタマイズしたエラーメッセージを表示するため、オペレータ毎に装置コマンドとエラーコードの対応関係を表す情報を設けている。
【００５８】
エラーコード変換部２４は、エラーコード定義ファイル２５を参照し、実行制御部２３から受信した伝文ｍ６に対して、伝文ｍ６から引き継いだオペレータの識別子、およびエラーとなった装置コマンドに対応するエラーコードを付与して伝文ｍ７を作成し、この伝文ｍ７をエラーメッセージ変換部２６に通知する。図８では、伝文ｍ６を受信し、エラーコード定義ファイル２５を参照して、“NG”となった装置コマンド“Set parameter2 Y”に対するエラーコードとして“102”を付与した伝文ｍ７を作成し、この伝文ｍ７をエラーメッセージ変換部２６に通知する。
なお、エラーメッセージをオペレータ毎にカスタマイズしない場合は、エラーとなった装置コマンドに対応するエラーコードを付与して伝文ｍ７を作成してもよい。
【００５９】
エラーメッセージ変換部２６は、エラーメッセージ定義ファイル２７を参照し、エラーコード変換部２４から受信した伝文ｍ７のエラーコードをエラーメッセージに変換して伝文ｍ８を作成して、この伝文ｍ８をコマンド逆変換部２８に通知する。図８では、伝文ｍ７を受信し、エラーメッセージ定義ファイル２７を参照して、“NG”となった装置コマンド“Set parameter2 Y”に対するエラーコード“102”をエラーメッセージ“パッケージver不正”に変換した伝文ｍ８を作成し、この伝文ｍ８をコマンド逆変換部２８に通知する。
【００６０】
コマンド逆変換部２８は、エラーメッセージ変換部２６からの伝文ｍ８を受信すると、装置コマンドを設定パラメータに変換した伝文ｍ９を作成し、この伝文ｍ９を出力部２９に通知する。図８では、エラーメッセージ変換部２６からの伝文ｍ８を受信したケースについて装置コマンド“Set parameter1 A”を設定パラメータ“設定１ A”に変換し、“Set parameter2 Y”を“設定２ Y”に変換し、“Set parameter3 ON”を“設定３ ON”に変換するケースを示している。ここで“設定２ Y”は“NG”であったため、対応するエラーメッセージとして“NG パッケージver不正”を付与し、“設定１ A”と“設定３ ON”については、設定が正常であったための“OK”をそのまま残した伝文ｍ９を作成し、この伝文ｍ９を出力部２９に通知する。
【００６１】
出力部２９は管理装置２のＨＭＩ（１）に対する出力インタフェースとして伝文ｍ９をＨＭＩ（１）に通知する。ＨＭＩ（１）は伝文ｍ９からエラーであった設定パラメータに対するエラーメッセージをオペレータに通知する。これにより、オペレータはどの設定パラメータがエラーであったかを容易に判断することが可能となる。
【００６２】
図９は、エラー発生時の設定シーケンスを示す図である。なお、図９では、「エラーコード変換部２４」を「ＥＣ変換部２４」、「エラーコード定義ファイル２５」を「ＥＣ定義２５」と省略記載している。更に図９は、「エラーメッセージ変換部２６」を「ＥＭ変換部２６」、「エラーメッセージ定義ファイル２７」を「ＥＭ定義２７」と省略記載している。
【００６３】
なお、図９に示すエラー発生時の設定シーケンスは、図７に示した正常時と、シーケンスＱ１〜Ｑ６，Ｑ８，Ｑ９が同一であるが、シーケンスＱ７ａ，Ｑ２０〜Ｑ２６が異なる。
最初にオペレータは、ＨＭＩ（１）の設定画面（不図示）により複数の設定パラメータを投入する。ＨＭＩ（１）は、これらの複数のパラメータを記述した伝文ｍ１を作成し、これを管理装置２の入力部２１に通知する（シーケンスＱ１）。
図９では、図７の正常時と同様に、“設定１ A”により設定１としてパラメータ“A”を設定し、“設定２ Y”により設定２としてパラメータ“Y”を設定し、“設定３ ON”により設定３としてパラメータ“ON”を設定するケースを示している。この伝文ｍ１には更に、オペレータの識別子が付与されている。
次に、入力部２１は、ＨＭＩ（１）から入力された伝文ｍ１を、コマンド変換部２２に通知する（シーケンスＱ２）。
【００６４】
コマンド変換部２２は、入力部２１から伝文ｍ１を受信すると、この伝文ｍ１の複数の設定パラメータをそれぞれ装置コマンドに変換し、これらに対してあるべき順序付けを行った伝文ｍ２を作成し、この伝文ｍ２を実行制御部２３に通知する（シーケンスＱ３）。
図９では、伝文ｍ１を装置コマンドに変換して伝文ｍ２を作成するケースとして、図７の正常時と同様に、伝文ｍ１の“設定１ A”を装置コマンド“Set parameter1 A”に変換し、“設定２ Y”を装置コマンド“Set parameter2 Y”に変換し、“設定３ ON”を装置コマンド“Set parameter3 ON”へ変換するケースを示している。更にコマンド変換部２２は、オペレータ毎にカスタマイズしたエラーメッセージを表示するため、伝文ｍ１から引き継いだオペレータの識別子を伝文ｍ２に付与する。
【００６５】
実行制御部２３は、コマンド変換部２２から伝文ｍ２を受信すると、この伝文ｍ２の制御の順序に従って、各被制御装置３へ装置コマンドの設定と、その応答の受信とを繰り返す（シーケンスＱ４〜Ｑ９）。
図９では、実行制御部２３は、伝文ｍ３ａである装置コマンド“Set parameter1 A”を被制御装置３−１に設定し（シーケンスＱ４）、この被制御装置３−１から伝文ｍ４ａである“OK”の応答を受信する（シーケンスＱ５）。
次に実行制御部２３は、伝文ｍ３ｂである装置コマンド“Set parameter2 Y”を被制御装置３−１に設定し（シーケンスＱ６）、この被制御装置３−１から伝文ｍ４Ｂである“NG”の応答を受信する（シーケンスＱ７ａ）。このシーケンスＱ７ａは、図７の正常時とは異なる動作である。
更に実行制御部２３は、伝文ｍ３ｃである装置コマンド“Set parameter3 ON”を被制御装置３−２に設定し（シーケンスＱ８）、この被制御装置３−２から伝文ｍ４ｃである“OK”の応答を受信する（シーケンスＱ９）。実行制御部２３は、これらの処理を順次行うことにより、各装置コマンドに対する応答結果を受信する。図９では、装置コマンドに対する応答に“NG”が含まれるので、全て装置コマンドとこれに対する応答を纏めて伝文ｍ６を作成し、この伝文ｍ６をエラーコード変換部２４に通知する（シーケンスＱ２０）。この伝文ｍ６には、オペレータ毎にカスタマイズしたエラーメッセージを表示するため、伝文ｍ２から引き継いだオペレータの識別子が付与される。
【００６６】
次に、エラーコード変換部２４は、エラーコード定義ファイル２５を参照し（シーケンスＱ２１）、実行制御部２３から受信した伝文ｍ６に対して、エラーとなった装置コマンドに対応するエラーコードを付与した伝文ｍ７を作成し、この伝文ｍ７をエラーメッセージ変換部２６に通知する（シーケンスＱ２２）。
図９では、伝文ｍ６を受信し、エラーコード定義ファイル２５を参照して、オペレータの識別子および“NG”となった装置コマンド“Set parameter2 Y”に対するエラーコードとして“102”を付与して伝文ｍ７を作成し、この伝文ｍ７をエラーメッセージ変換部２６に通知する。
なお、エラーメッセージをオペレータ毎にカスタマイズしない場合は、“NG”となった装置コマンド“Set parameter2 Y”に対応するエラーコードを付与して伝文ｍ７を作成してもよい。
【００６７】
次に、エラーメッセージ変換部２６は、エラーメッセージ定義ファイル２７を参照し（シーケンスＱ２３）、エラーコード変換部２４から受信した伝文ｍ７のエラーコードをエラーメッセージに変換した伝文ｍ８を作成し、この伝文ｍ８をコマンド逆変換部２８に通知する（シーケンスＱ２４）。図９では、伝文ｍ７を受信し、エラーメッセージ定義ファイル２７を参照して、“NG”となった装置コマンド“Set parameter2 Y”に対するエラーコード“102”をエラーメッセージ“パッケージver不正”に変換した伝文ｍ８を作成し、この伝文ｍ８をコマンド逆変換部２８に通知する。
【００６８】
コマンド逆変換部２８は、エラーメッセージ変換部２６からの伝文ｍ８を受信すると、装置コマンドを設定パラメータに変換した伝文ｍ９を作成し、この伝文ｍ９を出力部２９に通知する（シーケンスＱ２５）。図９では、エラーメッセージ変換部２６からの伝文ｍ８を受信したケースについて装置コマンド“Set parameter1 A”を設定パラメータ“設定１ A”に変換し、“Set parameter2 Y”を“設定２ Y”に変換し、“Set parameter3 ON”を“設定３ ON”に変換するケースを示している。“設定２ Y”は“NG”であったため、対応するエラーメッセージとして“NG パッケージver不正”の表示、“設定１ A”と“設定３ ON”については、設定が正常であったための“OK”の表示をそのまま残した伝文ｍ９を作成し、この伝文ｍ９を出力部２９に通知する。
【００６９】
次に、出力部２９は、コマンド逆変換部２８からの伝文ｍ９を受信すると、この伝文ｍ９をＨＭＩ（１）に通知する（シーケンスＱ２６）。ＨＭＩ（１）は、伝文ｍ９からエラーであった設定パラメータに対するエラーメッセージをオペレータに通知する。これにより、オペレータはどの設定パラメータがエラーであったかを容易に判断することが可能となる。
【００７０】
本実施形態により、電気通信ネットワーク上に複数の伝送装置などの被制御装置と、この被制御装置を管理する管理装置が配備される環境において、管理装置の設定画面を介して一又は複数の被制御装置に向けてオペレータが設定した複数の設定パラメータに対して、設定のエラーが通知されるときに、どの設定パラメータがエラーであったかをオペレータに通知することが可能となる。更に、オペレータのノウハウや経験に応じた適切なエラーメッセージの通知が可能となる。
これにより、エラーの通知があった場合、すべてが正常となるまで、複数の設定パラメータのいずれかを変更して何度も設定を試し、正しい設定を見極めてから設定を行うなど、設定が正常に完了するまでに多くの試行錯誤を要すると共に、時間が掛かりがちであった従来の問題点を解消することができる。
【００７１】
（変形例）
本実施の形態に係る管理装置は、前記したような処理を実行させるプログラムによって実現することができ、そのプログラムをコンピュータによる読み取り可能な記録媒体（ＣＤ−ＲＯＭ等）に記憶して提供することが可能である。また、そのプログラムを、インターネット等のネットワークを通して提供することも可能である。
本発明は、上記実施形態に限定されることなく、本発明の趣旨を逸脱しない範囲で、変更実施が可能であり、例えば、次の（ａ）〜（ｃ）のようなものがある。
（ａ）  上記実施形態では、被制御装置の“NG”応答をエラーコードに変換すると共に、このエラーコードをエラーメッセージに変換している。しかし、これに限られず、管理装置は、被制御装置の“NG”応答をエラーコードに変換して、このエラーコードを表示してオペレータに判断させてもよい。
（ｂ）  更に管理装置は、被制御装置の“NG”応答を直接にエラーメッセージに変換してもよい。
（ｃ）  上記実施形態では、被制御装置の“NG”応答およびオペレータの識別子に基づき、エラーコードに変換している。しかし、これに限られず、管理装置は、被制御装置の“NG”応答に対応したエラーコードに変換し、このエラーコードおよびオペレータの識別子に基づいてエラーメッセージに変換してもよく、限定されない。
【符号の説明】
【００７２】
１  ＨＭＩ
２  管理装置
２１  入力部  （入力手段）
２２  コマンド変換部  （コマンド変換手段）
２３  実行制御部  （実行制御手段）
２４  エラーコード変換部  （エラーコード変換手段）
２５  エラーコード定義ファイル
２６  エラーメッセージ変換部  （エラーメッセージ変換手段）
２７  エラーメッセージ定義ファイル
２８  コマンド逆変換部  （コマンド逆変換手段）
２９  出力部  （出力手段）
３  被制御装置
４  制御システム
【図１】
0006438842.tif 000002
【図２】
0006438842.tif 000003
【図３】
0006438842.tif 000004
【図４】
0006438842.tif 000005
【図５】
0006438842.tif 000006
【図６】
0006438842.tif 000007
【図７】
0006438842.tif 000008
【図８】
0006438842.tif 000009
【図９】
0006438842.tif 000010